(57)【要約】本発明は光学装置における第一の光情報キャリア１を第二の光情報キャリアと交換するのを防止する方法に関する。はじめに、光学装置における第一の光情報キャリア１で光５は集束され、続いて、第一の光情報キャリアから反射された光８を検出し、フォーカスエラー信号のような、検出された光８から複数の信号ＣＡ，ＲＦ，ＦＥを発生するステップが続く。たとえばフォーカスエラー信号ＦＥといった信号が存在しないか所定のレベル以下に低減されている示唆の取得に応じて、第一の光情報キャリア１が光ドライブから移動されたかを評価するステップがある。移動された場合、光ドライブにより情報の再生は、光ドライブのリスタート又は他の対策といった予め決定された対策が講じられるまで不可能にされる。
2008535143.tif 000002
【特許請求の範囲】
【請求項１】
第一の光情報キャリアを第二の光情報キャリアと光学装置で交換するのを防止する方法であって、前記光学装置は、光情報キャリアから情報を再生可能であり、
当該方法は、
前記光学装置における第一の光情報キャリアで光を集束するステップと、
前記第一の光情報キャリアから反射された光を検出するステップと、
検出された光から複数の信号を発生するステップと、
少なくとも１つの信号が存在しないか又は低減された示唆の取得に応じて、前記第一の光情報キャリアが前記光学装置から移動されたかを評価し、移動された場合に、予め決定された対策が行われるまで前記光学装置による情報の更なる再生を不可能にするステップと、
を含む方法。
【請求項２】
前記複数の信号は、少なくとも１つの制御信号を含み、前記制御信号は、前記第一の情報キャリアの前記光の相対的な位置を制御するために適用可能である、
請求項１記載の方法。
【請求項３】
前記少なくとも１つの制御信号は、集束された光の焦点位置を制御するために適用される、
請求項２記載の方法。
【請求項４】
集束された光の焦点位置を移動させるステップを更に含む、
請求項３記載の方法。
【請求項５】
前記複数の信号は、少なくとも１つの情報信号を含み、前記情報信号は、第一の光情報キャリアに記憶される情報を示す、
請求項１記載の方法。
【請求項６】
少なくとも１つの信号が存在しないことの示唆は、前記少なくとも１つの信号を予め決定された閾値レベルと比較することで提供される、
請求項１記載の方法。
【請求項７】
少なくとも１つの信号が存在しないことの示唆は、前記少なくとも１つの信号を実質的に連続的にサンプリングすることで提供される、
請求項１記載の方法。
【請求項８】
予め決定された対策は、前記第一の光情報キャリアからの暗号化情報を再生するステップを含む、
請求項１記載の方法。
【請求項９】
第一の光情報キャリアから情報を再生可能な光学装置であって、
当該装置は、
光を光情報キャリアに放出可能な光源と、
光情報キャリアに光を集束する集束手段と、
光情報キャリアから反射された光を検出する光検出手段と、
前記光検出手段から信号を発生する発生手段とを有し、
少なくとも１つの信号が存在しないか又は低減された示唆の取得に応じて、前記第一の光情報キャリアが光学装置から移動されたかを評価し、移動された場合、前記光学装置は、予め決定された対策が行われるまで、情報の更なる再生を不可能にするために適合される、
装置。
【請求項１０】
少なくとも１つのコンピュータに関連されるデータ記憶手段を有する少なくとも１つのコンピュータを有するコンピュータシステムが請求項１に記載の方法に従って光記録装置を制御するのを可能にするために適合されるコンピュータプログラム。
【発明の詳細な説明】
【技術分野】
【０００１】
本発明は、光学装置において第一の光情報キャリアを第二の光情報キャリアと交換するのを防止する方法に関する。  
また、本発明は、光情報キャリアからの情報を再生可能であって、光学装置において第一の光情報キャリアを第二の光情報キャリアと交換するのを防止するのを可能にする光学装置に関する。
【背景技術】
【０００２】
適切な光学装置で情報を再生するために使用される光情報キャリアは、オーディオ、オーディオ−ビジュアル及びゲームを目的として益々普及してきている。オーディオ−ビジュアルの用途に関して、デジタルバーサティルディスク（ＤＶＤ）は、係る技術の良好な例である。このフォーマットは、ＢＤ（Ｂｌｕ−Ｒａｙ）フォーマットの出現により次第に置き換えられると思われる。ゲームの用途について、パーソナルコンピュータ（ＰＣ）又は類似のものでの再生のために意図されるコンパクトディスク・リードオンリメモリ（ＣＤ−ＲＯＭ）又はデジタルバーサティルディスク（ＤＶＤ）に情報は記憶される。近年、Ｓｏｎｙ社のプレイステーション（ＰＳ及びＰＳ２）及びＭｉｃｒｏｓｏｆｔ社のＸＢＯＸのような、ゲームを目的とした専用コンピュータ及びオーディオシステムをもついわゆるゲームボックスが出現してきている。
【０００３】
光情報キャリアの使用における成長と並行して、いわゆる海賊版と呼ばれる、オリジナルの情報キャリアの違法又は不許可の複製における不運な成長が存在する。違法な複製におけるこの成長は、ＣＤ及びＤＶＤ記録装置のような商業的なコピー機器の比較的容易さ及びアクセス可能性により容易にされる。この傾向に対する不正コピーの対策は、再生前に再生システムに手動で鍵を掛けられる暗号化コード及び再生前に読み取られるべき光情報キャリアに専用の暗号化セクションを含み、後者の暗号化セクションは、従来の記録機器により少なくとも複製することは不可能である。しかし、係る暗号化セクションは、光情報キャリアの非常に制限された部分に関してのみ典型的に提供され、たとえばそのセクションを迂回する海賊版ソフトウェアの専用の部分を提供し、合法なコピーに関する暗号化セクションの読み取りの後、合法と違法なコピーの間で光情報キャリアを切り替えることといった、様々なやり方で回避される場合がある。
【発明の開示】
【発明が解決しようとする課題】
【０００４】
したがって、光情報キャリアの違法な使用を回避する改善された方法が望まれており、特に、更に効率的及び／又は信頼性の高い方法が望まれている。
【０００５】
したがって、本発明は、１以上の上述された問題点を個別に又は組み合わせて緩和、軽減又は除去するものである。  
特に、本発明の目的は、光情報キャリアの不正コピー対策を迂回することによる、従来技術の上述された問題を解決する方法を提供することにある。
【課題を解決するための手段】
【０００６】
この目的及び幾つかの他の目的は、第一の光情報キャリアを第二の光情報キャリアと光学装置で交換するのを防止する方法を提供することで、本発明の第一の態様で得られ、この光学装置は、光情報キャリアからの情報を再生可能であり、当該方法は、以下のステップを含む。光学装置における第一の光情報キャリアで光を集束するステップ。第一の光情報キャリアから反射された光を検出するステップ。検出された光から複数の信号を発生するステップ。少なくとも１つの信号が存在しないか又は低減されている示唆を取得することに応じて、第一の光情報キャリアが光学装置から除かれたかを評価し、除かれている場合、幾つかの予め決定された措置が講じられるまで、光学装置による情報の更なる再生を不可能にするステップ。
【０００７】
本発明は、特に、排他するものではないが、第一の光情報キャリアの暗号化セクションのような、不正コピー対策を迂回するために情報キャリアを交換することを防止するために有効であり、すなわち、再生のみをコピーするために意図されていない情報をもつキャリアは、暗号化セクションの読取りの後に、第二の光情報キャリアすなわち第一のキャリアオリジナルキャリアの許可されていないコピーと置き換えられる。これは、幾つかの光再生装置が、同じ位置に存在する状況で特に行われ、この場合、たとえば１つのオリジナルコピーのキャリアと幾つかの違法なコピーが提供される。キャリアの交換又は「スワッピング」は、オリジナルキャリアの暗号化セクションの読取りの後に行われ、光再生装置は１つのオリジナルと幾つかの違法なコピーにより不正コピー対策を効果的に迂回することになる場合がある。
【０００８】
特に、複数の信号は、少なくとも１つの制御信号を含み、前記制御信号は、係る制御信号がキャリアの変動及び不規則性に対して比較的感度が高いので、第一のキャリアの光の相対的な位置を制御するために適用可能である。好ましくは、少なくとも１つの制御信号は、集束された光の焦点位置を制御するために印加される。有利なことに、キャリアの移動と他の欠陥等とを区別するため、キャリアを横断することで集束された光の焦点位置を移すステップが適用される。
【０００９】
複数の信号は、少なくとも１つの情報信号を含み、前記情報信号は、第一の光情報キャリアに記憶された情報を示し、情報信号は、キャリアが移動されたかを評価するために適用可能である。
【００１０】
有利なことに、少なくとも１つの信号が存在しないことの示唆は、前記少なくとも１つの信号を予め決定された閾値レベルと比較することで提供される。代替的に、少なくとも１つの信号が存在しないことの示唆は、前記少なくとも１つの信号を実質的に連続的にサンプリングすることで提供され、これは面倒であるが、更に正確であって、たとえばピークトゥピークレベル、デューティサイクルといった更に進んだ解析を容易にする。
【００１１】
キャリアが移動したかが評価される場合、予め決定された対策は、暗号化コードがユーザにより迂回されていないことを保証するため、第一の光情報キャリアから暗号化情報を再生するステップを含む。代替的に、光学装置は、一時的又は永続的にディスエーブルにされる。
【００１２】
第二の態様では、本発明は、光情報キャリアから情報を再生可能な光学装置に関し、当該装置は、光を光情報キャリアに放出可能な光源、光を光情報キャリアに集束させる集束手段、光情報キャリアから反射された光を検出する光検出手段、及び光検出手段から信号を発生する発生手段を有し、少なくとも１つの信号が存在しないか又は低減された示唆を取得したのに応じて、第一の光情報キャリアが光学装置から移動したかを評価し、移動した場合、幾つかの予め決定された対策が講じられるまで情報の更なる再生を不可能にするために光学装置が適合される。
【００１３】
第三の態様では、本発明は、少なくとも１つのコンピュータに関連されるデータ記憶手段を有する少なくとも１つのコンピュータを有するコンピュータシステムが、本発明の第一の態様に従って光記録装置を制御するのを可能にするために適合されるコンピュータプログラムに関する。
【００１４】
本発明のこの態様は、特に、限定されるものではないが、本発明の第一の態様の動作をコンピュータシステムが実行するのを可能にするコンピュータプログラムにより本発明が実現される点で有利である。したがって、幾つかの公知の光再生装置は、前記光記録装置を制御するコンピュータシステムでコンピュータプログラムをインストールすることで、本発明に従って動作するために変化される場合があることが考案される。係るコンピュータプログラムは、たとえば磁気的又は光学的に基づいたメディア、たとえばインターネットといったコンピュータベースのネットワークを通して、任意の種類のコンピュータ読み取り可能な媒体で提供される。
【００１５】
本発明の第一、第二及び第三の態様は、他の態様の何れかと結合される。本発明のこれらの態様及び他の態様は、以下に記載される実施の形態を参照して明らかにされるであろう。本発明は、添付図面を参照して明らかにされるであろう。
【発明を実施するための最良の形態】
【００１６】
図１は、本発明に係る光再生装置及び光情報キャリア１を示す。キャリア１は、保持手段３０により固定及び回転される。
【００１７】
キャリア１は、放射線ビーム５により情報を記録するのに適した材料を含む。記録材料は、たとえば磁気−光学型、相変化型、ダイ型、Ｃｕ／Ｓｉのような金属合金、又は何れか他の適切な材料からなる場合がある。情報は、キャリア１の、リライタブルメディアについてマーク及びライトワンスメディアについてピットとも呼ばれる、光学的に検出可能な領域の形式で記録される。
【００１８】
装置は、光ピックアップ（ＯＰＵ）と呼ばれることがある光学ヘッド２０を有しており、光学ヘッド２０は、たとえば電気ステッピングモータといったアクチュエーション手段２１により移動可能である。光学ヘッド２０は、光検出システム１０、放射線減４、ビームスプリッタ６、対物レンズ７、及びレンズ移動手段９を有する。光学ヘッド２０は、３スポットディファレンシャル・プッシュプルラジアルトラッキング制御方法での使用向けに、放射線ビーム５を少なくとも３つのコンポーネントに分割可能なグレーティング又はホログラフィックパターンのような、ビーム分割手段２２を有する。明確さのため、放射線ビーム５は、ビーム分割手段２２を通過した後に単一のビームとして示されている。同様に、反射される放射線８は、たとえば３スポット及びその回折といった１を超えるコンポーネントを有するが、唯一のビーム８が明確さのために図１に示されている。
【００１９】
光検出システム１０の機能は、キャリア１から反射された放射線８を電気信号に変換することである。このように、光検出システム１０は、プリプロセッサ１１に伝送される１以上の電気的な出力信号を発生可能な、たとえばフォトダイオード、電荷結合素子（ＣＣＤ）等といった幾つかの光検出器を有する。光検出器は、互いに空間的に配置され、プリプロセッサ１１においてフォーカスエラー（ＦＥ）及びラジアルトラッキングエラー（ＲＴＥ）の検出を可能にするように、十分な時間分解能により配置される。したがって、プリプロセッサ１１は、フォーカスエラー（ＦＥ）及びラジアルトラッキングエラー（ＲＴＥ）信号をプロセッサ５０に送信する。光検出システム１０は、読取り信号又はキャリア１から読み取られる情報を表すＲＦ信号を、プリプロセッサ１１を通してプロセッサ５０に送信する。読取り信号は、プロセッサ５０におけるＲＦ信号の低域通過フィルタによりセントラルアパーチャ（ＣＡ）信号に変換される。
【００２０】
放射線ビーム５を放出する放射線源４は、たとえば可変電力をもつ半導体レーザ、おそらく放射線の可変の波長をもつ半導体レーザである。代替的に、放射線源４は、１以上のレーザを含む場合がある。
【００２１】
光学ヘッド２０は、放射線ビーム５はビームスプリッタ６及び対物レンズ７を介して光キャリア１に向けられるように光学的に配置される。キャリア１から反射された放射線源８は、対物レンズ７により収集され、ビームスプリッタ６を通過した後、光検出システム１０に入力し、このシステムは、上述されたように、入力した放射線８を電気出力信号に変換する。
【００２２】
プロセッサ５０は、プリプロセッサ１１からの出力信号を受信及び分析する。プロセッサ５０は、図１に例示されるように、アクチュエーション手段２１、放射線源４、レンズ移動手段９、プリプロセッサ１１、及び保持手段３０に制御信号を出力する。同様に、プロセッサ５０は、参照符号６１で示されるデータを受け、プロセッサ５０は、参照符号６０で示されるように、読み取りプロセスからデータを出力する。少なくとも１つの信号が存在しないか又は低減された示唆を得たのに応じて、プロセッサ５０は、これが光キャリア１は光学装置から移動されたことを示唆するかを評価する。キャリア１が移動された場合、プロセッサ５０は、予め決定された対策が講じられるまで、情報の更なる再生を不可能にする。好ましくは、予め決定された対策がプロセッサ５０又はプリプロセッサ１１のキーロック、主電源のブロッキング、又は放射線源４等のブロッキングを含む。
【００２３】
キャリア１の検出のために適用された信号は、ＦＥ信号、ＲＦ信号及びＣＡ信号である。１以上のこれらの信号が存在しないことをプロセッサ５０が検出した場合、所定の閾値レベル又は他の不規則及び／又は期待されない挙動より下で、キャリア１が移動されたかを評価するために更なるステップが始動される。特定の実施の形態では、フォーカルエラー及びサーボ信号が失われた場合、光５の焦点位置は、焦点レンズ７を移動することでキャリア１を横切る形で交互するパターンに強制される。これは、いわゆるフォーカスアクチュエータ９のランピングとして知られる。ランピング（ramping）は、たとえばキャリア１の欠陥により通常のフォーカスロスとキャリア１の実際の移動との間で区別するために有益である。このランピングがキャリア１の存在を表さない場合、キャリア１が移動されたことが評価される。
【００２４】
図２は、本発明の第一の態様に係る方法のフローチャートである。  
第一のステップＳ１では、アクチュエータ９により移動可能なレンズ７により光学装置における第一の光情報キャリア１で光５が集束される。  
次いで、第二のステップＳ２では、第一の光情報キャリア１から反射された光８が検出される。検出手段１０により検出は実行される。
【００２５】
第三のステップＳ３では、プリプロセッサ１１において検出された光から複数の信号（ＦＥ，ＣＡ，ＲＦ）が生成される。たとえば焦点エラー、すなわち意図された位置とキャリア１を横切る実際の位置との間の逸脱を最小にするために適用されるフォーカスエラー（ＦＥ）信号を取得するため、反射された光８は検出され、分析される。
【００２６】
第四のステップＳ４では、少なくとも１つの信号が存在しない又は低減されたことの示唆を得たことに応じて、プロセッサ５０は、第一の光情報キャリア１が光学装置から移動されたかを評価するための手順を始動する。はじめに、信号の低減又は不存在がキャリア１の短いラジアルスキャニングによりキャリア１の完全の非反射型のスポット、「ブラック」スポットによるかがチェックされる。
【００２７】
その後、第五のステップＳ５として、キャリア１が移動されたかが評価され、移動された場合、第六のステップＳ６が始動され、第六のステップＳ６は、予め決定された対策が講じられるまで光学装置による情報の更なる再生を不可能にする。
【００２８】
第五のステップでキャリア１が移動されていないと評価されていないが、キャリア１の欠陥のような他の不規則性又は光学装置の一時的な乱れがあると評価された場合、たとえば通常のリカバリ手順の第七ステップＳ７が始動される。
【００２９】
図３は、フォーカスアクチュエータ９のランピング下で光キャリア１がない場合に対応する信号ＦＥ及びＣＡを例示する。この提案される方法では、フォーカスサーボのロスの検出に応じて、光学装置は、図３に示されるように、ランプアップ及びダウンし始めるように、フォーカスアクチュエータ９へのランピング信号を開始する。このランピングアクションの途中で、フォーカスエラー（ＦＥ）信号又はセントラルアパーチャ（ＣＡ）信号をモニタする。キャリア１が突然に移動されたケースでは、フォーカスエラー（ＦＥ）信号及びセントラルアパーチャ（ＣＡ）信号は、図１に示されている。図から、両方の信号はピークを表示していない。
【００３０】
対照的に、図４は、フォーカスアクチュエータ９のランピング下の光キャリア１がある場合に対応する信号ＦＥ及びＣＡを例示しており、この場合、通常のフォーカスコントロールサーボのロスのみが存在し、すなわちスピニングキャリア１は存在するが、フォーカスサーボは欠陥のキャリアエリアのような他の手段を通して失われ、セントラルアパーチャ（ＣＡ）信号は、図４で示されている。図から、両方の信号は、キャリア１の存在を示すピークを表示する。
【００３１】
ＣＡ及びＦＥ信号からピークの不存在を検出することで、閾値レベルを設定するか又は信号又は他の手段をサンプリングすることで、光学装置は、他の理由からキャリア１を移動する条件を区別することができる。光学装置は、装置を一時的に停止するか、又は装置を永続的にディスエーブルにするために反応する。後者は、放射線源４に放射線源の仕様を超える高い電流を供給することで行われ、放射線源４の不可逆的な「焼き付き（burning）」となる。
【００３２】
本発明は、特定の実施の形態と共に記載されたが、本明細書で述べた特定の形式に限定されることが意図されない。むしろ、本発明の範囲は、特許請求の範囲によってのみ制限される。請求項では、用語「有する“comprising”」は、他のエレメント又はステップの存在を排除するものではない。さらに、個々の特徴は、異なる請求項に含まれるが、これらは有効に結合される場合があり、異なる請求における包含は、特徴の組み合わせが実施可能及び／又は有効ではないことを意味するものではない。
【図面の簡単な説明】
【００３３】
【図１】本発明の第二の態様に係る光学装置の実施の形態の概念図である。
【図２】本発明の第一の態様に係る方法のフローチャートである。
【図３】光キャリアがない対応する信号ＦＥ及びＣＡを示すグラフである。
【図４】光キャリアがある対応する信号ＦＥ及びＣＡを示すグラフである。
【図１】
2008535143.tif 000003
【図２】
2008535143.tif 000004
【図３】
2008535143.tif 000005
【図４】
2008535143.tif 000006
【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
第一の光情報キャリアを第二の光情報キャリアと光学装置で交換するのを防止する方法であって、前記光学装置は、光情報キャリアから情報を再生可能であり、
当該方法は、
前記光学装置における第一の光情報キャリアで光を集束することで、前記第一の光情報キャリアが前記光学装置に存在することを検出するステップと、
前記第一の光情報キャリアから反射された光を検出するステップと、
検出された光から複数の信号を発生するステップと、
前記第一の光情報キャリアの存在の検出の後に前記複数の信号のうちの少なくとも１つの信号における予期しない挙動の示唆の取得に応じて、前記第一の光情報キャリアが前記光学装置から移動されたかを評価し、移動された場合に、予め決定された対策が行われるまで前記光学装置による情報の更なる再生を不可能にするステップと、
を含む方法。
【請求項２】
前記複数の信号は、少なくとも１つの制御信号を含み、前記制御信号は、前記第一の情報キャリアの前記光の相対的な位置を制御するために適用可能である、
請求項１記載の方法。
【請求項３】
前記少なくとも１つの制御信号は、集束された光の焦点位置を制御するために適用される、
請求項２記載の方法。
【請求項４】
集束された光の焦点位置を移動させるステップを更に含む、
請求項３記載の方法。
【請求項５】
前記複数の信号は、少なくとも１つの情報信号を含み、前記情報信号は、第一の光情報キャリアに記憶される情報を示す、
請求項１記載の方法。
【請求項６】
前記複数の信号のうちの少なくとも１つの信号における予期しない挙動の示唆は、前記複数の信号のうちの前記少なくとも１つの信号を予め決定された閾値レベルと比較することで提供される、
請求項１記載の方法。
【請求項７】
前記複数の信号のうちの少なくとも１つの信号における予期しない挙動の示唆は、前記複数の信号のうちの前記少なくとも１つの信号を実質的に連続的にサンプリングすることで提供される、
請求項１記載の方法。
【請求項８】
予め決定された対策は、前記第一の光情報キャリアからの暗号化情報を再生するステップを含む、
請求項１記載の方法。
【請求項９】
第一の光情報キャリアから情報を再生可能な光学装置であって、
当該装置は、
光を光情報キャリアに放出可能な光源、光情報キャリアに光を集束する集束手段、光情報キャリアから反射された光を検出する光検出手段、及び前記光検出手段から信号を発生する発生手段を有する当該光学装置に、前記第一の光情報キャリアが存在することを検出する検出手段を有し、
前記第一の光情報キャリアの存在の検出の後に複数の信号のうちの少なくとも１つにおける予期しない挙動の示唆の取得に応じて、前記第一の光情報キャリアが当該光学装置から移動されたかを評価し、移動された場合、当該光学装置は、予め決定された対策が行われるまで、情報の更なる再生を不可能にするために適合される、
装置。
【請求項１０】
少なくとも１つのコンピュータに関連されるデータ記憶手段を有する少なくとも１つのコンピュータを有するコンピュータシステムが請求項１に記載の方法に従って光再生装置を制御するのを可能にするために適合されるコンピュータプログラム。
【国際調査報告】
2008535143.tif 000007
2008535143.tif 000008
2008535143.tif 000009
2008535143.tif 000010
2008535143.tif 000011